(57)【要約】  人工椎間板は、上側椎骨に当たっている外面（１６ａ）および人工椎間板内部に向いている表面（１６ｂ）を備えた上側プラトー（１６）、下側椎骨に当たっている外面（１８ａ）および人工椎間板内部に向いている表面（１８ｂ）を備えた下側プラトー（１８）、ならびに隆起した凸状要素（２７）と接触する隆起した凸状要素（２７）の相補的凹部と協働する、隆起した凸状要素（２７）を含む、上側プラトーと下側プラトーの間のボール式接合を含み、隆起した凸状要素（２７）が変形することができる少なくとも１つのスロット（２４、２５、２６、２８）を含む。
2009529934.tif 000002
【特許請求の範囲】
【請求項１】
上側椎骨に当たっている外面（１６ａ）および人工椎間板内部に向いている表面（１６ｂ）を有する上側プラトー（１６）と、
下側椎骨に当たっている外面（１８ａ）および人工椎間板内部に向いている表面（１８ｂ）を有する下側プラトー（１８）と、
前記上側プラトーと前記下側プラトーの間のボール・ソケット接合であって、
凸状ドーム部（２７）を備え、前記凸状ドーム部（２７）を相補し、且つ前記凸状ドーム部（２７）と接触する凹所と協働するボール・ソケット接合と、を備えており、
前記凸状ドーム部（２７）が、垂直衝撃の場合など、突然または激しい日常生活動作の際、変形を可能にする少なくとも１つの管腔（２４、２５、２６、２８）を含むことを特徴とする人工椎間板。
【請求項２】
前記管腔（２５）が前記下側プラトー（１８）に設けられていることを特徴とする、請求項１に記載の人工椎間板。
【請求項３】
前記人工椎間板が２部品で形成されていることを特徴とする、請求項１または２に記載の人工椎間板。
【請求項４】
前記人工椎間板が３部品で形成されていることを特徴とする、請求項１または２に記載の人工椎間板。
【請求項５】
前記管腔（２６、２８）が前記凸状ドーム部（２７）内部に実現されることを特徴とする、請求項１、３および４のいずれか一項に記載の人工椎間板。
【請求項６】
下側椎骨に当たっている外面（１８ａ）およびドーム部（２７）を有する人工椎間板内部に向いている表面を有する下側プラトー（１８）と、
前記ドーム部（２７）を相補し前記ドーム部（２７）と接触する前記凹所を有する上側プラトー（１６）とを備えており、
前記上側プラトー（１６）と前記下側プラトー（１８）の間にボール・ソケット接合を画成するようになっており、２つの内向きの表面が互いに接触することを特徴とする請求項１、３および４のいずれか一項に記載の人工椎間板。
【請求項７】
上側プラトー（１６）、支持面（１８ｂ）を有する下側プラトー（１８）、ならびに弾性的に変形可能な材料から形成された、下面および球状部を有する上面を含む中間部（２０）を備えており、
前記上側プラトー（１６）が前記中間部（２０）の上面の球状部を相補し前記球状部と接触する前記凹所を有し、前記上側プラトー（１６）と前記中間部（２０）の間にボール・ソケット接合を画成するようになっており、
前記中間部の前記下面が前記支持面（１８ｂ）と接触し、前記人工椎間板が、材料の変形による衝撃吸収を可能にするように、前記中間部（２０）の前記下面および前記下側プラトー（１８）の前記支持面（１８ｂ）によって境界を画定される中間容積内に、少なくとも１つの管腔（２４、２５、２６、２８）を含むことを特徴とする、請求項１、４および５のいずれか一項に記載の人工椎間板。
【請求項８】
前記凸状ドーム部（２７）がポリエーテルエーテルケトンから形成されることを特徴とする、請求項１から７のいずれか一項に記載の人工椎間板。
【請求項９】
人工椎間板が３部品で形成されること、ならびに前記下側および上側プラトーが内面１６ｂおよび内面１８ｂ上に硬化表面被覆を有することを特徴とする、請求項１、４、７および８のいずれか一項に記載の人工椎間板。
【請求項１０】
人工椎間板が３部品で形成されること、ならびに前記下側および上側プラトーが内面１６ｂおよび内面１８ｂ上に熱分解炭素の挿入物を有することを特徴とする、請求項１、４、７および８のいずれか一項に記載の人工椎間板。
【請求項１１】
前記人工椎間板の前記部品がポリエーテルエーテルケトンから形成されることを特徴とする、請求項１から１０のいずれか一項に記載の人工椎間板。
【発明の詳細な説明】
【技術分野】
【０００１】
本発明は人工椎間板に関する。
【背景技術】
【０００２】
外傷、疾患または加齢による変性プロセスは、椎間板の置換につながることが多い。
【０００３】
これらの変性プロセスは、２つの椎骨間の天然のスペースの変化を伴うことがある。この天然のスペースの収縮によって、ある神経に作用する圧力が発生することがあり、その結果痛みが生じることがある。
【０００４】
人工椎間板を使用して、２つの椎骨間の天然のスペースを維持することができる。
【０００５】
人工椎間板はまた、椎骨が天然の動きに続いて互いに対して動けるようにしなければならない。特に、頚部領域における人体の体幹または頚部の回転動作の一部に対応する軸方向回転動作、頚部領域における上半身または頭部を屈曲または伸展する動作に対応する前後方向動作、および頚部領域における上半身または頚部の傾斜に対応する側方向動作ができるようにしなければならない。
【０００６】
人工椎間板の上側プラトーおよび下側プラトーは、椎骨に当たり、表面処理および粗面を全体的に備えている結果として経時的に椎骨に固定されるようになる。
【０００７】
特許文献１には、上側プラトー、支持面を有する下側プラトー、下面および球状部を有する上面を含む中間部を含み、上側プラトーが上側プラトーと中間部の間にボール・ソケット接合を画成するように球状部を相補し球状部と接触する凹所を有し、中間部の下面が支持面と接触する、人工椎間板が説明されている。
【０００８】
中間部は、下側プラトーの支持面上で、前方および後方に動くことができる。
【０００９】
しかし、このタイプの人工椎間板は、特に激しい衝撃の際、所望の快適性および頑丈性をもたらさない。
【００１０】
特許文献２には人工椎間板が説明されている。多様な構成が提案されている。そのうちの１つでは、下側プラトー、上側プラトーおよび上側プラトーに形成された空洞と協働する上側凸状表面を含む中間部が提供される。中間部は、長く狭い水平な切込みを含む。
【００１１】
しかし、十分な衝撃吸収性を与えるために、このタイプの人工椎間板は非常に深い切込みを必要とし、これは、人工椎間板を大きく脆弱化させる疲労断裂を形成し、特に激しい衝撃または回転の際、特に所望の頑丈性を提供することがない。
【特許文献１】欧州特許出願第１  ３４４  ５０８  Ａ１号明細書
【特許文献２】国際公開第２００４／０１６２４７号パンフレット
【発明の開示】
【発明が解決しようとする課題】
【００１２】
本発明の目的は、特にこれらの欠点を解決することである。
【課題を解決するための手段】
【００１３】
この理由により、本出願の主題は、
−上側椎骨に当たっている外面および人工椎間板内部に向いている表面を有する上側プラトーと、
−下側椎骨に当たっている外面および人工椎間板内部に向いている表面を有する下側プラトーと、
−凸状ドーム部を相補し凸状ドーム部と接触する凹所と協働する、好ましくは球状の凸状ドーム部を含む、上側プラトーと下側プラトーの間のボール・ソケット接合とを含み、凸状ドーム部が、突然または激しい日常生活動作の際、特に垂直衝撃の場合、変形を可能にする少なくとも１つの管腔を含む、人工椎間板である。
【００１４】
突然または激しい日常生活動作（衝撃、ジャンプ、事故、転倒、暴力行為、負荷の多いスポーツ（スキー、乗馬等））の際のドーム部の変形は、本質的に、凸状ドーム部の平坦化、すなわち高さを減少させる原因となる。歩行など日常生活の通常動作の際は、ドーム部の変形が起きないことが好ましい。
【００１５】
本発明を導入する好ましい条件では、上記の人工椎間板は３つの部品から構成される。
【００１６】
人工椎間板の凸状ドーム部を含む部品は、２つの平面間に挿入される中間部分である。
【００１７】
例えば、アセンブリは、下側椎骨に当たっている外面、および人工椎間板内部に向いており、下面および好ましくは球状のドーム部を有する上面を含む中間部のための支持面として作用する表面を有する下側プラトー、ならびに上側椎骨に当たっている外面、およびドーム部を相補し上側プラトーと中間部の間にボール・ソケット接合を画成するようにドーム部と接触する凹所を有する、人工椎間板の内部に向いている表面を有する上側プラトーを含むことができる。
【００１８】
中間部はまた、凸状ドーム部のみに対応することもでき、これは次いで下側プラトーに設けられた凹部に挿入される。これは特に球状のドーム状キャップによって上部が形成された短い円柱形の全体形状を有する。
【００１９】
本発明を導入する他の好ましい条件では、上記の人工椎間板は２つの部分から構成される。
【００２０】
例えば、アセンブリは、下側椎骨に当たっている外面およびドーム部を有する人工椎間板内部に向いている表面を有する下側プラトー、ならびにドーム部を相補し上側プラトーと下側プラトーの間にボール・ソケット接合を画成するようにドーム部と接触する凹所を有する上側プラトーを含むことができ、２つの内向きの表面が互いに接触する。
【００２１】
凸状ドーム部に設けられた凹部は少なくとも１つの管腔を含む。好ましくは一定の、例えば立方形または平行六面体、球体、長円形等、少なくとも１つの対称軸を含む、どのような形状とすることもできる。本発明の枠組み内で、管腔は閉じた空洞であり、外部へと開かれた切欠きと区別されることに留意されたい。
【００２２】
１つまたは複数の管腔とすることができ、以下で凹部という場合もある。これらはドーム部の対称軸に対して好ましくは一定に挿入される。しかし、例えば矯正を実行し、または特別の効果を付与するために、非対称の挿入物が好ましい。
【００２３】
管腔は、複数のスリットの場合は交互または積層、あるいは傾斜された水平のスリット、特に平行六面体の形状または好ましくは円形の整列された、または整列されていない結合または離間された穴、あるいは断面から見て長手方向スリットで連結された穴の形態とすることができる。
【００２４】
ドーム部を有する部品を形成するために使用される材料の性質が、実現される凹部の構造およびサイズを支配する。
【００２５】
凹部の形状および数は、所望の衝撃吸収にしたがって選択される。理想的な材料が使用されたと仮定する場合、凹部の寸法が大きいほど、凸状ドーム部はより変形可能になる。同様に、凹部の数および容量が大きいほど、ドーム部はより変形可能になる。
【００２６】
当業者であれば、いくつかの簡単な実験によって、管腔の形状、サイズおよび所望の変形可能性を達成するために使用される材料を決定することができる。
【００２７】
凹部は、外面を隆起させることなくドーム部内部に実現される。
【００２８】
凹部は、例えばキャップの形態、あるいは実質的に球状または長円形の凸形状を有することができる。
【００２９】
３つの部品で形成された上記の人工椎間板の場合、人工椎間板は、
−中間部の下面が外部へと開いた凹状部を有する、
−中間部の下面が外部へと開いた凹状部を有し、凹状部の周りに平坦部を含み、凹状部と平坦部の間の表面積比が例えば１／５から９／１０の間にあり、有利には１／４から９／１０の間にあり、詳細には１／４から４／５の間にあり、特に１／４から３／４の間にあり、より詳細には１／３から３／４の間にある、
−支持面が凹形状部を有し、この場合管腔は以下の図１に示すように中間部によって閉じられたこのくぼみによって構成される、
−支持面が凹状部の周りの平坦部を含み、凹状部と平坦部の間の表面積比が例えば１／５から９／１０の間にあり、有利には１／４から９／１０の間にあり、特に１／４から４／５の間にあり、詳細には１／４から３／４の間にあり、より詳細には１／３から３／４の間にある、
−下側プラトーが支持面の境界を画定する縁を含む、のいずれかであることが好ましい。
【００３０】
凹状部によって構成される空洞は非常に狭く（数十分の一ミリメートル）できることから、凹状部の周りの平坦リングなしでの実現も同様に機能し、実際、荷重が加えられるとすぐにこのリングが必然的に形成される。この場合、リングの表面は完全に平坦ではない。これは、例えば大きな湾曲半径を有する球状凹部に当てはまる。
【００３１】
当業者であれば、例えば中間部の下面が外部へと開き、人工椎間板内部に向いている下側プラトーの平坦面に当たる凹状部を有する場合、同一の衝撃吸収効果を達成することができることを容易に理解するであろう（図２）。同様に、中間部が凹部を有さず、人工椎間板内部に向いている下側プラトーの表面内にくぼみを設けることによって、同一の衝撃吸収効果を達成することができる（図１）。そのような均等な変形実施形態は、本発明の範囲内に含まれる。本発明の人工椎間板は一方向または他の方向に埋め込むことができるので、「下側」および「上側」という形容詞は相対的な意味であることもまた、容易に理解されよう。したがって、２つの部品で形成される上記の人工椎間板の場合、ドーム部を有する「下側」平面は、埋め込まれる人間の足の方に、あるいは頭の方に見つけることができる。
【００３２】
ドーム状の球状部は、２つまたは３つの部品（またはそれ以上）から形成されるかにかかわらず、腰椎の場合は、外径が例えば０．５から１０ｃｍ、好ましくは１から８ｃｍ、特に１．５から７ｃｍ、より詳細には２から５ｃｍとなる。
【００３３】
ドーム状の球状部は、２つまたは３つの部品（またはそれ以上）から形成されるかにかかわらず、頚椎の場合は、外径が例えば０．３から８ｃｍ、好ましくは０．５から７ｃｍ、特に０．８から５ｃｍ、より詳細には１から３ｃｍとなる。
【００３４】
異なる部品を異なる材料、または同じ材料で形成することができる。好ましくは、凸状ドーム部、特に３つの部品を含む上記の人工椎間板内の中間部を含む部品は、熱可塑性樹脂または、例えばＢｉｏＰｒｏｆｉｌｅ社（Ｇｒｅｎｏｂｌｅ、フランス）からＰｙｃ（登録商標）の名前で販売されているものなどの熱分解炭素から形成される。熱可塑性樹脂は、例えば高分子重量を有するポリエチレンであり、好ましくは、ガラスまたはカーボンファイバーで強化された、ただし好ましくは純粋な、ポリエーテルエーテルケトン（ＰＥＥＫ）である。
【００３５】
３つの部品で形成された上記の人工椎間板の場合、
−上側プラトーはクロム−コバルトまたはチタンまたはステンレス鋼タイプの材料から形成することができる。上側プラトーはまた、好ましくは上面にチタンの表面被覆を有するポリエーテルエーテルケトン（ＰＥＥＫ）から形成することもできる。上側プラトーはまた、クロム−コバルトまたはチタンまたはステンレス鋼タイプの材料から形成し、摩擦および摩耗特性を改良するために（特にＩｏｎＢｏｎｄ社またはＩｎｎｏｖａｔｉｖｅ  Ｃｏａｔｉｎｇｓ  Ｃｏｍｐａｎｙ  （Ｌｅ  Ｍｅｅ  ｓｕｒ  Ｓｅｉｎｅ、フランス）から販売されている、Ｄｉａｍｏｌｉｔｈ（登録商標）タイプの）硬化表面処理または熱分解炭素の挿入物を有することができる。
−中間部は、非常に良好な滑り性質を有する、高密度ポリエチレンタイプのプラスチック材料から形成することができる。
−中間部はまた、衝撃の場合にある程度の弾性を示す約２４Ｍｐａのヤング率を有する、ポリエーテルエーテルケトン（ＰＥＥＫ）または熱分解炭素などの材料から形成することもできる。
−下側プラトーはクロム−コバルトまたはチタンまたはステンレス鋼タイプの材料から形成することができる。下側プラトーはまた、上面にチタンの表面被覆を有するポリエーテルエーテルケトン（ＰＥＥＫ）から形成することもできる。下側プラトーはまた、クロム−コバルトまたはチタンまたはステンレス鋼タイプの材料から形成し、摩擦および摩耗特性を改良するために（特にＩｏｎＢｏｎｄ社から販売されている、Ｄｉａｍｏｌｉｔｈ（登録商標）タイプの）硬化表面処理または熱分解炭素の挿入物を有することができる。
【００３６】
本発明を導入する好ましい条件では、３つの部品から形成される上記の人工椎間板ならびに下側および上側プラトーは、内面上に硬化表面被覆を有する。本発明の他の好ましい実施形態では、下側および上側プラトーは内面上に熱分解炭素の挿入物を有する。
【００３７】
３つの部品で形成された上記の人工椎間板の場合、
−上側プラトーおよび下側プラトーは、クロム−コバルトまたはチタンまたはステンレス鋼タイプの材料から形成することができ、またはクロム−コバルトまたはチタンまたはステンレス鋼タイプの材料から形成し、摩擦および摩耗特性を改良するために（特にＩｏｎＢｏｎｄ社から販売されている、Ｄｉａｍｏｌｉｔｈ（登録商標）タイプの）硬化表面処理または熱分解炭素の挿入物を有し、あるいはＰＥＥＫから形成することができる。
【００３８】
本発明の主題である人工椎間板は非常に有用な特性および質を有する。
【００３９】
凸状ドーム部に設けられた凹部は、ドーム部の変形によって、人工椎間板が受ける衝撃を吸収することを可能にする。
【００４０】
したがって、これらは使用の際の快適性および従来技術の人工椎間板に比べて改良された頑丈性を提供する。特に、ドーム部の材料の変形によって衝撃を吸収し、したがって人工椎間板が緩まないようにすることを可能にする。
【００４１】
これらの特性は実験部で以下に示されている。これらは、外傷、疾患または加齢による変性プロセスを被った椎間板の置換に、上記の人工椎間板の使用することを正当化する。
【００４２】
このため、凸状が下向きまたは好ましくは上向きになるように、これらを患者に埋め込むことができる。
【００４３】
したがって、本出願の他の主題は、少なくとも１つの上記の人工椎間板が２つの隣接する椎骨間に埋め込まれる、例えば外傷、疾患または加齢による変性プロセスを被った椎間板を置換するための方法である。
【００４４】
有利には、ドーム部を相補する凹所を有する平面が、ドーム部を含む平面の上に埋め込まれる。
【００４５】
上記の人工椎間板を導入する好ましい条件はまた、本発明の他の上記の主題、特に椎間板を置換するための方法にも当てはまる。
【発明を実施するための最良の形態】
【００４６】
本発明は添付の図面を参照すると、より良く理解されるであろう。
【００４７】
異なる図面における同じ参照番号は、同一または同様の部品を示す。
【００４８】
人工椎間板１０は、脊柱の２つの椎骨１２、１４の間に配置されるよう意図されている。例えば、図５は本発明による人工椎間板１０が間に配置された脊柱の２つの椎骨１２、１４の側面図である。
【００４９】
人工椎間板１０は、上側椎骨および下側椎骨に面する向きの外面１６ａ、１８ａをそれぞれが有する上側プラトー１６および下側プラトー１８を含む。平面１６、１８が椎骨に固定されるようにする、例えば鋸歯パターンのリリーフ（図示せず）が、それぞれの外面１６ａ、１８ａ上に配置されている。
【００５０】
上側プラトー１６および下側プラトー１８は内面１６ｂ、１８ｂも含む。内面は横方向に第１の前後方向軸に沿って延び、第１の軸に垂直な第２の軸に沿って長手方向に延び、互いに向かい合い、中間部２０に接触している。
【００５１】
中間部２０は球状の凸状ドーム部２７を有する上面を含む。中間部２０は、下側プラトー１８の内面１８ｂ（以下、「支持面１８ｂ」という）に当たっている下側面も含む。上側面の球状部２７は、上側プラトー１６の内面１６ｂに接触している。ドーム部２７によって、中間部２０の上側プラトー１６に対する全方向動作を可能にする「ボール・ソケット」式接合を得ることが可能となり、より大きい可撓性を提供する。
【００５２】
中間部２０は下側プラトー１８の支持面１８ｂ上に可動に取り付けられている。さらに、下側プラトーは支持面１８ｂの境界を画定する縁１９を含む。
【００５３】
上側椎骨１２に経時的に固定される上側プラトー１６と、下側プラトー１８によって下側椎骨１４に連結される中間部２０自体の間とのボール・ソケット接合によって、脊柱の２つの椎骨１２、１４間の屈曲または伸展動作および傾斜動作を再生することが可能となる。
【００５４】
図１に示すように、下側プラトー１８は、その支持面１８ｂ上に、凹状部２２および平坦部２３を含み、凹部２５を形成するために全体が中間部２０の下側部に面している。この凹状部２２の表面積寸法は中間部２０の下面より小さく、中間部２０が下側プラトー１８の支持面１８ｂの平坦部２３上で動くことができるようになっている。ここで示す凹状部と中間部の下面の間の表面積比は約３／４である。さらに、この実施形態では、凹状部２２は本発明による管腔（２５）を形成する。
【００５５】
変形例では、凹状部によって形成される空洞は非常に狭い（数十分の一ミリメートル）。下側プラトー１８には平坦部２３がない。荷重が加えられると、下側プラトーの周辺部に上記の平坦部２３に対応するリングが必然的に形成される。この場合、リングの表面は完全に平坦ではない。これは、例えば、大きな湾曲半径（例えば頚椎または腰椎デバイスであるかによって５または２５ｃｍ半径）を有する球状凹部に当てはまる。
【００５６】
人工椎間板が、臀部での転倒またはジャンプ中など、実質的に垂直方向の衝撃を受けるとき、力によって上側プラトー１６が下側プラトー１８に接近し、その結果中間部２０が２つの平面間で圧迫される傾向がある。中間部２０は、衝撃の際に脊柱によってかかる力の作用を受けて変形し、凹部２５の空の空間を充填する傾向があり、次いで、中間部２０の変形によって衝撃が吸収される。したがって椎骨の骨折または緩みのリスクが低減される。
【００５７】
図２から４に示す実施形態によると、凹部が中間部に実現されている。
【００５８】
図２では、凹部２４は中間部２０の下側面に実現されている。このため、中間部の下面は平坦な支持面１８ｂに面する凹状部２１を有する。この凹状管腔は下側プラトー１８によって塞がれている。したがって、力が人工椎間板にかかるとき、中間部２０が変形し、凹状部２１と支持面１８ｂの間に形成された空間を占有する傾向にある。中間部の下面はまた、凹状部２１の周りに平坦部３３を含み、ここで示す凹状部２１と平坦部３３の間の表面積比は約１．５である。平坦部は下側プラトー１８の支持面１８ｂと接触し、したがって中間部２０の支持面１８ｂ上での滑り動作を確実にする。凹部はドーム部の外部へと開いており、中間部２０が変形すると、下側プラトー１８によって塞がれているかにかかわらず、凹部２４の内容物を押し出すことができる。
【００５９】
図３では、凹部２６は中間部２０の球状部２７内の包含物として実現され、空洞を形成する。中間部２０はまた、空洞２６が中間部２０の外部と連絡できるようにする通路３２も含む。通路３２は、下側プラトー１８によって塞がれているが、それにもかかわらず中間部２０が変形すると空洞の内容物を押し出すことができ、その結果、中間部の変形容量を増加させ、中間部が元の形状に戻るときにリバウンドを防ぐことによって、より良い衝撃吸収が可能となる。同様にこの変形例では、凹部はドーム部の外部へと開いている。
【００６０】
図４では、中間部２０のドーム部２７は、断面が楕円形で垂直軸Ｚに対して垂直な方向にほぼ平行に配置された、いくつかの管腔または凹部２８を含み、これは垂直の力の作用を受けて中間部２０をより簡単に変形させることが可能である。これらの凹部は上述のような空気除去通路と連絡されておらず、外部へと開いていない。
【００６１】
図６、７、８は上側プラトー１６および下側プラトー１８を含む人工椎間板１０を示し、後者は、上側プラトー１６に配置された相補的な凹所と協働する球状の凸状ドーム部２７を一体に含む。
【図面の簡単な説明】
【００６２】
【図１】第１の実施形態による、３部品（２つが図示されている）の人工椎間板の部品の模式的な側面図である。
【図２】第２の実施形態による、３部品の人工椎間板の垂直面に沿った断面の斜視図である。
【図３】第３の実施形態による、３部品の人工椎間板の垂直面に沿った断面の斜視図である。
【図４】第４の実施形態による、３部品の人工椎間板の断面側面図である。
【図５】２つの椎骨間に配置された３部品の人工椎間板の側面図である。
【図６】一実施形態による、２部品の人工椎間板の断面側面図である。
【図７】一実施形態による、２部品の人工椎間板の断面側面図である。
【図８】一実施形態による、２部品の人工椎間板の断面側面図である。
【符号の説明】
【００６３】
１０    人工椎間板
１２    椎骨
１４    椎骨
１６    上側プラトー
１６ａ    外面
１６ｂ    内面
１８    下側プラトー
１８ａ    外面
１８ｂ    内面
１９    縁
２０    中間部
２１    凹状部
２２    凹状部
２３    平坦部
２４    凹部
２５    凹部
２６    凹部
２７    ドーム部
２８    凹部
３２    通路
【図１】
2009529934.tif 000003
【図２】
2009529934.tif 000004
【図３】
2009529934.tif 000005
【図４】
2009529934.tif 000006
【図５】
2009529934.tif 000007
【図６】
2009529934.tif 000008
【図７】
2009529934.tif 000009
【図８】
2009529934.tif 000010
【国際調査報告】
2009529934.tif 000011
2009529934.tif 000012
2009529934.tif 000013
2009529934.tif 000014
2009529934.tif 000015
2009529934.tif 000016